(57)【要約】【課題】拡散型液晶パネルを用いているファインダ装置において、拡散光に起因するゴーストが生じないファインダ装置の提供。【解決手段】第１反射面および第２反射面を構成するダハミラー面５ａと第３反射面５ｂとを有して、ファインダスクリーン４からの光束を接眼光学系３へと導くペンタミラー５を有するファインダ装置であって、投光照明装置であるＬＥＤによりアイコンを照明する光を液晶表示パネル１内に投光する。拡散型液晶表示パネル１は、アイコンが表示される液晶領域ＲＬとその周囲に設けられて液晶封止用シール材１１３が配設されるシール領域とを有している。このシール材１１３は、拡散光がゴースト光と成り得る領域Ｒを含むように配設される。その結果、ゴースト光ＧＬが出射されず、ゴーストの発生を防止することができる。【選択図】        図１
2004212792.tif 000002
【特許請求の範囲】
【請求項１】
被写体像が結像されるファインダスクリーンと、
ファインダースクリーン上の被写体像を観察するための接眼光学系と、
第１反射面および第２反射面を構成するダハミラーと第３反射面とを有して、前記ファインダスクリーンからの光束を前記接眼光学系へと導くペンタミラーと、
前記ファインダスクリーンと前記ペンタミラーとの間に配設されて、ファインダ視野内にアイコンを表示する拡散型液晶表示パネルと、
前記拡散型液晶表示パネルに光を投光して前記アイコンを照明する投光照明装置と、
前記拡散型液晶表示パネルと前記ペンタミラーとの間に配設され、前記光のうち前記拡散型液晶表示パネルから前記第３反射面方向に出射してファインダ視野内におけるゴースト発生原因となるゴースト光束を遮光する遮光手段とを備えたことを特徴とするカメラのファインダ装置。
【請求項２】
被写体像が結像されるファインダスクリーンと、
ファインダースクリーン上の被写体像を観察するための接眼光学系と、
第１反射面および第２反射面を構成するダハミラーと第３反射面とを有して、前記ファインダスクリーンからの光束を前記接眼光学系へと導くペンタミラーと、
前記ファインダスクリーンと前記ペンタミラーとの間に配設されて、ファインダ視野内にアイコンを表示する拡散型液晶表示パネルと、
前記拡散型液晶表示パネルに光を投光して前記アイコンを照明する投光照明装置とを備え、
前記拡散型液晶表示パネルは、前記アイコンが表示される液晶注入領域とその周囲に設けられて液晶封止用シール材が配設されるシール領域とを有し、該シール領域が、前記表示パネルのうちの前記第３反射面方向に出射した光束が前記接眼光学系に入射可能なパネル領域を含むように構成したことを特徴とするカメラのファインダ装置。
【発明の詳細な説明】
【０００１】
【発明の属する技術分野】
本発明は、拡散型液晶表示素子を用いてファインダ像にアイコン等をスーパーインポーズ表示するカメラのファインダ装置に関する。
【０００２】
【従来の技術】
従来、拡散型液晶パネルを用いて、光学的な像の上に必要な情報を重ね合わせて表示するカメラのファインダ装置が知られている。この液晶パネルは、２枚の透明電極付き透明基板間に、高分子分散型液晶を封入した液晶層を有する複数の表示セグメントからなるパネルである。拡散型液晶パネルでは、液晶層にかける電界を制御することによって、光を透過する透過状態と、光を拡散する拡散状態の２つのモードを使い分けてアイコン等を表示することができる。
【０００３】
電界をかけた表示セグメントは光を透過させ、電界をかけていない表示セグメントは光を拡散（散乱）させる。すなわち、表示セグメントに電界をかけない場合には、表示セグメント部分の被写体光は液晶により拡散されてファインダ接眼部に達する光が少なくなる。そのため、被写体像が明るい場合には表示セグメント部分が暗く見えることになる。しかしながら、画面が暗いシーンでは表示セグメントの視認性が低下するため、投光照明装置で液晶層を照明してその拡散光を観察することにより、表示セグメントが明るく見えるようにしている（例えば、特許文献１参照）。
【０００４】
【特許文献１】
特開２００１−２９６５９６号公報
【０００５】
【発明が解決しようとする課題】
ところが、拡散型液晶パネルでは、照明装置で液晶層を照明すると、液晶が透明状態か不透明状態かに関わらず、照明光の一部がパネル面に対して斜め方向に拡散されている。ペンタミラー（反射鏡を用いてペンタプリズムと同等に構成した光学素子）を用いたファインダ装置では、拡散光の一部がペンタミラーの第３反射面で反射されて接眼光学系に達する場合がある。その結果、この第３反射面からの反射光が、視認可能なゴーストとしてファインダ視野内に観察されるという問題があった。
【０００６】
本発明の目的は、拡散型液晶パネルを用いているファインダ装置において、拡散光に起因するゴーストが生じないファインダ装置を提供することにある。
【０００７】
【課題を解決するための手段】
（１）請求項１の発明は、被写体像が結像されるファインダスクリーンと、ファインダースクリーン上の被写体像を観察するための接眼光学系と、第１反射面および第２反射面を構成するダハミラーと第３反射面とを有して、ファインダスクリーンからの光束を接眼光学系へと導くペンタミラーと、ファインダスクリーンとペンタミラーとの間に配設されて、ファインダ視野内にアイコンを表示する拡散型液晶表示パネルと、拡散型液晶表示パネルに光を投光してアイコンを照明する投光照明装置と、拡散型液晶表示パネルとペンタミラーとの間に配設され、前記光のうち拡散型液晶表示パネルから第３反射面方向に出射してファインダ視野内におけるゴースト発生原因となるゴースト光束を遮光する遮光手段とを備えたことを特徴とする。
（２）請求項２の発明は、被写体像が結像されるファインダスクリーンと、ファインダースクリーン上の被写体像を観察するための接眼光学系と、第１反射面および第２反射面を構成するダハミラーと第３反射面とを有して、ファインダスクリーンからの光束を接眼光学系へと導くペンタミラーと、ファインダスクリーンとペンタミラーとの間に配設されて、ファインダ視野内にアイコンを表示する拡散型液晶表示パネルと、拡散型液晶表示パネルに光を投光してアイコンを照明する投光照明装置とを備え、拡散型液晶表示パネルは、アイコンが表示される液晶注入領域とその周囲に設けられて液晶封止用シール材が配設されるシール領域とを有し、シール領域が、表示パネルのうちの第３反射面方向に出射した光束が接眼光学系に入射可能なパネル領域を含むように構成したことを特徴とする。
【０００８】
【発明の実施の形態】
以下、図を参照して本発明の実施の形態を説明する。
−第１の実施の形態−
図１は本発明によるファインダ装置の第１の実施の形態を示す図である。図１に示す断面図は、一眼レフカメラのファインダ装置部分の縦断面図である。クイックリターンミラー（不図示）のメインミラーで反射された被写体光束Ｌ１はファインダスクリーン４上に結像され、その被写体像をペンタミラー５および接眼光学系３を介して観察する。ペンタミラー５は第１および第２反射面を構成するダハミラー面５ａと、第３反射面５ｂとを有しており、被写体光束Ｌ１はダハミラー面５ａに設けられた第１反射面、第２反射面で反射された後に第３反射面５ｂで反射され、接眼光学系３に導かれる。
【０００９】
ファインダスクリーン４とペンタミラー５との間には、被写体像に重ねてアイコン等をスーパーインポーズするための拡散型液晶表示パネル１が設けられている。液晶表示パネル１に表示されるアイコンとしては、例えば、フォーカスエリアを示すフォーカスエリアマークなどがある。
【００１０】
図２および図３は液晶表示パネル１を示す図であり、図２は平面図、図３はＡ−Ａ断面図である。図３に示すように、液晶表示パネル１は、一対の透明基板１ａ，１ｂ（例えば、ガラス基板）の間に拡散型の液晶１１４を封入したものである。図２に示した液晶表示パネル１の場合には、符号１０１ａ〜１０１ｅで示すようなフォーカスエリアマークが点灯表示される。図１に示した第３反射面５ｂは、矢印Ｂで示した方向に配設されている。
【００１１】
ＬＥＤ１０２，１０３は、液晶表示パネル１の透明基板１ａ，１ｂに光を投光してフォーカスエリアマーク１０１ａ〜１０１ｅを照明する投光照明装置である。液晶表示パネル１の図示右側端面および図示左側端面にはＬＥＤ１０２，１０３の光を液晶表示パネル１に導入するためのライトガイド１０４，１０５が設けられている。
【００１２】
ＬＥＤ１０２，１０３は、それぞれライトガイド１０４，１０５の焦点位置１０４ｂ，１０５ｂに配置される。各ライトガイド１０４，１０５の符号１０４ａ，１０５ａで示す端面は放物線面となっており、ライトガイド１０４，１０５の出射面１０４ｃ，１０５ｃから出射されるＬＥＤ光は、出射面１０４ｃ，１０５ｃに垂直な平行光として出射される。ライトガイド１０４から出射されたＬＥＤ光は、透明基板１ｂの端面１０６から透明基板１ｂ内に入射する。一方、ライトガイド１０５から出射されたＬＥＤ光は、透明基板１ａ，１ｂの端面１０７，１０８から両方の透明基板１ａ，１ｂ内に入射する。
【００１３】
図４は、液晶表パネル１の分解斜視図である。各透明基板１ａ，１ｂの液晶側の面には、フォーカスエリアマーク１０１ａ〜１０１ｅに対応した透明電極１１０，１１１が形成されている。これらの透明電極１１０，１１１には図２に示した端子１１２ａ〜１１２ｈを介して電圧が印加される。１１３は透明基板１ａ，１ｂ同士を貼り合わせるともに、液晶１１４を透明基板１ａ，１ｂ間に封止する透明なシール材である。液晶１１４はこのシール材１１３で囲まれた矩形領域に封入される。
【００１４】
ペンタプリズム５の第３反射面５ｂは矢印Ｂで示した方向に配設され、シール材１１３の第３反射面側部分の幅Ｄは、ゴースト発生を防止するように他の領域よりも大きく設定されている。すなわち、シール材１１３の第３反射面側部分ににゴースト防止領域Ｒを設けた。その結果、液晶表示パネル１の領域Ｒに相当する部分には液晶１１４が存在せず、その部分からは拡散光が出射されない。
【００１５】
図５は、シール材に領域Ｒを設けていない液晶表示パネル２００を用いた場合に、ゴーストが発生することを説明する図である。液晶表示パネル２００の場合には領域Ｒに相当する部分にも液晶が封入されているため、領域Ｒの部分からも拡散光が出射される。第３反射面方向に出射された拡散光の一部の光ＧＬ（以下では、この一部の光をゴースト光と呼ぶことにする）は、第３反射面５ｂで反射された後にダハミラー面５ａで反射され、再び第３反射面５ｂで反射されて接眼光学系３へと達する。その結果、ファインダ視野内を示す図６（ａ）のように、ファインダ視野枠２０１の図示上部外側領域にゴースト光ＧＬに起因するゴースト２０２が発生し、ファインダの視認性が阻害されてしまう。
【００１６】
一方、本実施の形態では、図１に示したように領域Ｒの部分にはシール材１１３配設されて液晶１１４が存在しないため、領域Ｒからはゴースト光ＧＬを含む拡散光が出射されない。また、液晶表示パネル１の液晶領域ＲＬから第３反射面方向に出射される拡散光Ｌ２の場合には、２点差線で示すように反射されるため、接眼光学系３に達することがない。その結果、図６（ａ）に示すようなゴースト２０２は発生しない。なお、図１では、ゴースト光ＧＬが接眼光学系３に達することを示すために、実際には存在しないゴースト光ＧＬも表示した。
【００１７】
図６（ｂ）は、ファインダ視野内における視野枠２０１と液晶表示パネル１の観察像２０３との関係を示したものである。図６（ｂ）において、破線で示した部分は観察されない部分である。この観察像２０３は液晶表示パネル１を出射し、ダハミラー面５ａ、第３反射面５ｂの順に反射されて接眼光学系３に達した光線によって形成されるものである。シール材１１３は透明であるため、液晶１１４の透過状態の部分と見分けが付き難く、シール材１１３と液晶１１４との境界２０４がわずかに認識できる程度である。
【００１８】
なお、図５の破線で示すように、第３反射面５ｂが図示左側方向にずれるようにペンタミラー５全体をスケールアップすることによっても、ゴースト光ＧＬの光路が変化してゴーストの発生を防止することができる。しかし、この場合にはペンタミラー５をスケールアップするため、ファインダ装置が大型化するという別の問題が発生する。一方、本実施の形態の場合には、ファインダ装置の大型化を避けることができるという利点を有している。
【００１９】
−第２の実施の形態−
図７は本発明によるファインダ装置の第２の実施の形態を示す図である。図７では、ファインダ装置の一部である液晶表示パネル２００および第３反射面５ｂの部分を拡大して示した。本実施の形態では、液晶表示パネル２００とペンタプリズム５との間にゴースト光ＧＬを防止するための透明部材であるガラス板３００を配設した。図７に示す例では、透明部材としてガラス板を用いたが、ゴースト光ＧＬを反射できるものであって被写体光束Ｌ１をペンタミラー５側に透過するものであれば、ガラス板でなくても良い。なお、液晶表示パネル２００は図５に示したものと同様のものであり、領域Ｒに相当する部分にも液晶１１４が封入されている。
【００２０】
ガラス板３００と液晶表示パネル２００との間には、僅かなギャップＧが形成されている。このように構成された装置では、液晶表示パネル２００の領域Ｒの部分から第３反射面５ｂに出射されたゴースト光ＧＬは、ガラス板３００により反射されて第３反射面５ｂに達することがない。すなわち、ガラス板３００はそのため、ゴースト２０２（図６（ａ）参照）の発生を防止することができる。
【００２１】
なお、ゴースト光ＧＬの遮光手段として機能するガラス板３００は少なくとも領域Ｒに相当する部分にだけ設ければ良く、液晶表示パネル２００の上面全体を覆うように配設する必要はない。また、ゴースト光ＧＬの内で入射角の比較的小さなものは、ガラス板３００を透過する場合もあるが、そのようなゴースト光ＧＬに対しては、ガラス板３００を厚くしてゴースト光ＧＬの光路を大きく変え、接眼光学系に入射するのを防止すれば良い。
【００２２】
以上説明した実施の形態の構成要素と特許請求の範囲との対応において、ガラス板３００は遮光手段を、液晶領域ＲＬは液晶注入領域を、ゴースト防止領域Ｒはパネル領域をそれぞれ構成する。なお、上述した実施の形態では、一眼レフカメラのファインダ装置を例に説明したが、上述した実施の形態と同様の構成であれば一眼レフカメラに限らず種々の光学装置のファインダ装置に適用することができる。また、本発明の特徴を損なわない限り、本発明は上記実施の形態に何ら限定されるものではない。
【００２３】
【発明の効果】
以上説明したように、本発明によれば、ゴースト光束を遮光する遮光手段を設けたり、第３反射面方向に出射した光束が接眼光学系に入射可能なパネル領域を、シール領域が含むように構成したので、ゴーストの発生を防止することができる。
【図面の簡単な説明】
【図１】本発明によるファインダ装置の第１の実施の形態を示す断面図である。
【図２】液晶表示パネル１を示す平面図である。
【図３】図２に示す液晶表示パネル１のＡ−Ａ断面図である
【図４】液晶表パネル１の分解斜視図である。
【図５】液晶表示パネル２００を用いた場合を説明する図である。
【図６】ファインダ視野内を示す図であり、（ａ）はゴースト２０２を示し、（ｂ）は液晶表示パネル１と視野枠との関係を示す図である。
【図７】本発明によるファインダ装置の第２の実施の形態を示す図である。
【符号の説明】
１，２００  液晶表示パネル
１ａ，１ｂ  透明基板
３  接眼光学系
４  ファインダスクリーン
５  ペンタミラー
５ａ  ダハミラー面
５ｂ  第３反射面
１０１ａ〜１０１ｅ  フォーカスエリアマーク
１０２，１０３  ＬＥＤ
１０４，１０５  ライトガイド
１１０，１１１  透明電極
１１３  シール材
１１４  液晶
２０２  ゴースト
３００  ガラス板
ＧＬ  ゴースト光
ＲＬ  液晶領域
Ｒ  ゴースト防止領域
【図１】
2004212792.tif 000003
【図２】
2004212792.tif 000004
【図３】
2004212792.tif 000005
【図４】
2004212792.tif 000006
【図５】
2004212792.tif 000007
【図６】
2004212792.tif 000008
【図７】
2004212792.tif 000009